【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
高電圧パルス電源によってパルス駆動される高電圧コロナ放電電極によって作り出される電界内に、イオン化された微粒子を集めるコレクタ電極を有する静電式集塵器であって、
前記高電圧パルス電源は、ピークパルス電圧とベースライン電圧の間でパルス動作する前記コロナ放電電極にパルス駆動電圧を供給し、前記ベースライン電圧は、前記コロナ放電電極と前記コレクタ電極との間のアーク発生電圧より低くなり、そうでなければ、前記コロナ放電電極と前記コレクタ電極との間のプラズマ伝導を生じさせるものであり、
前記ピークパルス電圧の持続時間は、前記高電圧パルス電源での熱的ストレスを最小化するのに十分短い時間に選択されて寿命を延ばすようにし、
さらに、前記ピークパルス電圧は、前記コロナ放電電極と前記コレクタ電極との間のコロナ開始電圧よりも大きく、前記ベースライン電圧は、前記コロナ開始電圧よりも大きくなり、
前記集塵器は、前記パルス駆動がないときには、所望の効率のための十分なイオン化を与える定格直流電圧を有し、この定格直流電圧は、前記コロナ開始電圧よりも大きく、前記ベースライン電圧は、前記定格直流電圧よりも小さくかつ前記コロナ開始電圧よりも大きいことを特徴とする静電式集塵器。
【請求項２】
高電圧パルス電源によってパルス駆動される高電圧コロナ放電電極によって作り出される電界内に、イオン化された微粒子を集めるコレクタ電極を有する静電式集塵器であって、
前記高電圧パルス電源は、ピークパルス電圧とベースライン電圧の間でパルス動作する前記コロナ放電電極にパルス駆動電圧を供給し、前記ベースライン電圧は、前記コロナ放電電極と前記コレクタ電極との間のアーク発生電圧より低くなり、そうでなければ、前記コロナ放電電極と前記コレクタ電極との間のプラズマ伝導を生じさせるものであり、
前記ピークパルス電圧の持続時間は、前記高電圧パルス電源での熱的ストレスを最小化するのに十分短い時間に選択されて寿命を延ばすようにし、
さらに、前記ピークパルス電圧は、前記コロナ放電電極と前記コレクタ電極との間のコロナ開始電圧よりも大きくなり、
前記ベースライン電圧と前記コロナ開始電圧との間の電圧差は、前記ピークパルス電圧と前記ベースライン電圧との間の電圧差よりも小さいことを特徴とする静電式集塵器。
【請求項３】
内燃機関の静電クランクケースの換気システムにおける静電式液滴コレクタ（EDC) アセンブリであって、
前記内燃機関からのガスを受け入れる入口と、クリーンなガスを放出するための出口を有し、
さらに、前記換気システム内の取付ヘッドに取り付けられるキャニスターと、前記キャニスター内に設けられてコロナ放電ゾーンを与えるギャップによって前記キャニスターから離間したコロナ放電電極アセンブリとを含み、
前記キャニスターは、コレクタ電極を備えるとともに、前記取付ヘッドに対して取外し可能に取り付けられ、前記コレクタ電極の取外し及び交換を可能にし、前記コロナ放電電極アセンブリが、高電圧パルス電源によってパルス駆動され、前記キャニスターは、前記入口を有し、前記取付ヘッドは、前記出口を有することを特徴とする静電式液滴コレクタアセンブリ。
【請求項４】
内燃機関の静電クランクケースの換気システムにおける静電式液滴コレクタ（EDC) アセンブリであって、
前記換気システム内の取付ヘッドに着脱自在に取付可能なキャニスターを含み、前記キャニスターは、前記内燃機関からのガスを受け入れる入口を有し、前記取付ヘッドは、クリーンなガスを放出するための出口を有し、
さらに、前記キャニスター内に設けられ、かつ取付ヘッドから、前記キャニスターとともに１つのユニットとして取外し可能であるコロナ放電電極アセンブリとを含み、
このコロナ放電電極アセンブリが、高電圧パルス電源によってパルス駆動されることを特徴とする静電式液滴コレクタアセンブリ。
【手続補正２】
【補正対象書類名】明細書
【補正対象項目名】発明の名称
【補正方法】変更
【補正の内容】
【発明の名称】高電圧パルス電源を有する静電式集塵器及び静電式液滴コレクタアセンブリ
【手続補正３】
【補正対象書類名】明細書
【補正対象項目名】００１０
【補正方法】変更
【補正の内容】
【００１０】
本発明は、高電圧パルス電源によってパルス駆動される高電圧コロナ放電電極によって作り出される電界内に、イオン化された微粒子を集めるコレクタ電極を有する静電式集塵器または静電式液滴コレクタ（ＥＤＣ）を提供することを目的としている。
【手続補正４】
【補正対象書類名】明細書
【補正対象項目名】００１１
【補正方法】変更
【補正の内容】
【００１１】
上記目的を達成するために、本発明の静電式集塵器は、高電圧パルス電源によってパルス駆動される高電圧コロナ放電電極によって作り出される電界内に、イオン化された微粒子を集めるコレクタ電極を有する静電式集塵器であって、
前記高電圧パルス電源は、ピークパルス電圧とベースライン電圧の間でパルス動作する前記コロナ放電電極にパルス駆動電圧を供給し、前記ベースライン電圧は、前記コロナ放電電極と前記コレクタ電極との間のアーク発生電圧より低くなり、そうでなければ、前記コロナ放電電極と前記コレクタ電極との間のプラズマ伝導を生じさせるものであり、
前記ピークパルス電圧の持続時間は、前記高電圧パルス電源での熱的ストレスを最小化するのに十分短い時間に選択されて寿命を延ばすようにし、
さらに、前記ピークパルス電圧は、前記コロナ放電電極と前記コレクタ電極との間のコロナ開始電圧よりも大きく、前記ベースライン電圧は、前記コロナ開始電圧よりも大きくなり、
前記集塵器は、前記パルス駆動がないときには、所望の効率のための十分なイオン化を与える定格直流電圧を有し、この定格直流電圧は、前記コロナ開始電圧よりも大きく、前記ベースライン電圧は、前記定格直流電圧よりも小さくかつ前記コロナ開始電圧よりも大きいことを特徴としている。
【手続補正５】
【補正対象書類名】明細書
【補正対象項目名】００１２
【補正方法】変更
【補正の内容】
【００１２】
また、別の構成によれば、高電圧パルス電源によってパルス駆動される高電圧コロナ放電電極によって作り出される電界内に、イオン化された微粒子を集めるコレクタ電極を有する静電式集塵器であって、
前記高電圧パルス電源は、ピークパルス電圧とベースライン電圧の間でパルス動作する前記コロナ放電電極にパルス駆動電圧を供給し、前記ベースライン電圧は、前記コロナ放電電極と前記コレクタ電極との間のアーク発生電圧より低くなり、そうでなければ、前記コロナ放電電極と前記コレクタ電極との間のプラズマ伝導を生じさせるものであり、
前記ピークパルス電圧の持続時間は、前記高電圧パルス電源での熱的ストレスを最小化するのに十分短い時間に選択されて寿命を延ばすようにし、
さらに、前記ピークパルス電圧は、前記コロナ放電電極と前記コレクタ電極との間のコロナ開始電圧よりも大きくなり、
前記ベースライン電圧と前記コロナ開始電圧との間の電圧差は、前記ピークパルス電圧と前記ベースライン電圧との間の電圧差よりも小さいことを特徴としている。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
また、本発明は、内燃機関の静電クランクケースの換気システムにおける静電式液滴コレクタ（EDC) アセンブリであって、前記内燃機関からのガスを受け入れる入口と、クリーンなガスを放出するための出口を有し、さらに、前記換気システム内の取付ヘッドに取り付けられるキャニスターと、前記キャニスター内に設けられてコロナ放電ゾーンを与えるギャップによって前記キャニスターから離間したコロナ放電電極アセンブリとを含み、前記キャニスターは、コレクタ電極を備えるとともに、前記取付ヘッドに対して取外し可能に取り付けられ、前記コレクタ電極の取外し及び交換を可能にし、前記コロナ放電電極アセンブリが、高電圧パルス電源によってパルス駆動され、前記キャニスターは、前記入口を有し、前記取付ヘッドは、前記出口を有することを特徴する。